(57)【要約】  無線周波数(RF)システムが開示される。RFシステムは、RFセンサーと、アナログ-デジタル変換器(ADC)モジュールと、処理モジュールと、同期モジュールとを含む。RFセンサーは、RF出力のパラメータを測定し、パラメータに基づいてRF信号を生成する。ADCモジュールは、RF信号のサンプルをデジタル値に変換する。処理モジュールは、デジタル値に基づいて処理値を生成する。同期モジュールは、RF出力の遷移に応答して処理値のうちの1つを出力する。
2016513340.tif 000002
【特許請求の範囲】
【請求項１】
無線周波数（ＲＦ）システムであって、
ＲＦ出力のパラメータを測定し、前記パラメータに基づいてＲＦ信号を生成するＲＦセンサーと、
前記ＲＦ信号のサンプルをデジタル値に変換するアナログ−デジタル変換器（ＡＤＣ）モジュールと、
前記デジタル値に基づいて処理値を生成する処理モジュールと、
前記ＲＦ出力の遷移に応答して、前記処理値のうちの１つを出力する同期モジュールと
を具備するＲＦシステム。
【請求項２】
前記ＲＦ出力を生成するドライバーと、
レール電圧設定値に基づいてレール電圧を前記ドライバーに印加する電力供給モジュールと、
ドライバー制御設定値に基づいて前記ドライバーを駆動するドライバー制御モジュールと、
前記処理値のうちの前記１つに基づいて前記レール電圧設定値および前記ドライバー制御設定値のうちの少なくとも１つを選択的に調整する出力制御モジュールと
をさらに具備する、請求項１に記載のＲＦシステム。
【請求項３】
前記ＡＤＣモジュールが、前記ＲＦ信号を第１の所定周波数でサンプリングする、請求項２に記載のＲＦシステム。
【請求項４】
前記出力制御モジュールが、前記レール電圧設定値および前記ドライバー制御設定値を第２の所定周波数で選択的に更新し、
前記第２の所定周波数は、前記第１の所定周波数よりも低い、請求項３に記載のＲＦシステム。
【請求項５】
前記同期モジュールが、所定値を越える前記ＲＦ信号の増大および減少のうちの１つに応答して、前記処理値のうちの前記１つを出力する、請求項２に記載のＲＦシステム。
【請求項６】
無線周波数（ＲＦ）制御方法であって、
ＲＦセンサーを使用してＲＦ出力のパラメータを測定するステップと、
前記ＲＦセンサーを使用して前記パラメータに基づいてＲＦ信号を生成するステップと、
前記ＲＦ信号のサンプルをデジタル値に変換するステップと、
前記デジタル値に基づいて処理値を生成するステップと、
前記ＲＦ出力の遷移に応答して、前記処理値のうちの１つを出力するステップと
を有するＲＦ制御方法。
【請求項７】
ドライバーを使用して前記ＲＦ出力を生成するステップと、
レール電圧設定値に基づいて前記ドライバーにレール電圧を印加するステップと、
ドライバー制御設定値に基づいて前記ドライバーを駆動するステップと、
前記処理値のうちの前記１つに基づいて前記レール電圧設定値および前記ドライバー制御設定値のうちの少なくとも１つを選択的に調整するステップと
をさらに有する、請求項６に記載のＲＦ制御方法。
【請求項８】
前記ＲＦ信号を第１の所定周波数でサンプリングするステップをさらに有する、請求項７に記載のＲＦ制御方法。
【請求項９】
前記レール電圧設定値および前記ドライバー制御設定値を第２の所定周波数で選択的に更新するステップをさらに有し、
前記第２の所定周波数は、前記第１の所定周波数よりも低い、請求項８に記載のＲＦ制御方法。
【請求項１０】
所定値を越える前記ＲＦ信号の増大および減少のうちの１つに応答して、前記処理値のうちの前記１つを出力するステップをさらに有する、請求項７に記載のＲＦ制御方法。
【請求項１１】
無線周波数（ＲＦ）システムであって、
ＲＦ出力のパラメータを測定し、前記パラメータに基づいてＲＦ信号を生成するＲＦセンサーと、
前記ＲＦ信号のサンプルをデジタル値に変換するアナログ−デジタル変換器（ＡＤＣ）モジュールと、
前記ＲＦ出力の遷移に応答して、前記デジタル値のうちの１つを出力する同期モジュールと、
前記デジタル値のうちの前記１つに基づいて処理値を生成する処理モジュールと
を具備するＲＦシステム。
【請求項１２】
前記ＲＦ出力を生成するドライバーと、
レール電圧設定値に基づいてレール電圧を前記ドライバーに印加する電力供給モジュールと、
ドライバー制御設定値に基づいて前記ドライバーを駆動するドライバー制御モジュールと、
前記処理値に基づいて前記レール電圧設定値および前記ドライバー制御設定値のうちの少なくとも１つを選択的に調整する出力制御モジュールと
をさらに具備する、請求項１１に記載のＲＦシステム。
【請求項１３】
前記ＡＤＣモジュールが、前記ＲＦ信号を第１の所定周波数でサンプリングする、請求項１２に記載のＲＦシステム。
【請求項１４】
前記出力制御モジュールが、前記レール電圧設定値および前記ドライバー制御設定値を第２の所定周波数で選択的に更新し、
前記第２の所定周波数は、前記第１の所定周波数よりも低い、請求項１３に記載のＲＦシステム。
【請求項１５】
前記同期モジュールが、所定値を越える前記ＲＦ信号の増大および減少のうちの１つに応答して、前記デジタル値のうちの前記１つを出力する、請求項１２に記載のＲＦシステム。
【請求項１６】
無線周波数（ＲＦ）制御方法であって、
ＲＦセンサーを使用してＲＦ出力のパラメータを測定するステップと、
前記ＲＦセンサーを使用して前記パラメータに基づいてＲＦ信号を生成するステップと、
前記ＲＦ信号のサンプルをデジタル値に変換するステップと、
前記ＲＦ出力の遷移に応答して、前記デジタル値のうちの１つを出力するステップと、
前記デジタル値のうちの前記１つに基づいて処理値を生成するステップと
を有するＲＦ制御方法。
【請求項１７】
ドライバーを使用してＲＦ出力を生成するステップと、
レール電圧設定値に基づいて前記ドライバーにレール電圧を印加するステップと、
ドライバー制御設定値に基づいて前記ドライバーを駆動するステップと、
前記処理値に基づいて前記レール電圧設定値および前記ドライバー制御設定値のうちの少なくとも１つを選択的に調整するステップと
をさらに有する、請求項１６に記載のＲＦ制御方法。
【請求項１８】
前記ＲＦ信号を第１の所定周波数でサンプリングするステップをさらに有する、請求項１７に記載のＲＦ制御方法。
【請求項１９】
前記レール電圧設定値および前記ドライバー制御設定値を第２の所定周波数で選択的に更新するステップをさらに有し、
前記第２の所定周波数は、前記第１の所定周波数よりも低い、請求項１８に記載のＲＦ制御方法。
【請求項２０】
所定値を越える前記ＲＦ信号の増大および減少のうちの１つに応答して、前記デジタル値のうちの前記１つを出力するステップをさらに有する、請求項１７に記載のＲＦ制御方法。
【発明の詳細な説明】
【技術分野】
【０００１】
本開示は、プラズマチャンバーと、無線周波数(RF)測定システムおよび測定法とに関する。
【背景技術】
【０００２】
ここに記載する背景説明は、本開示の前後関係を全体的に示すことを目的としている。現在挙げられている発明者の研究および出願時点で従来技術と見なされ得ない説明の様態は、この背景技術のセクションで説明されている範囲において、明示的にも黙示的にも本開示に対する従来技術とは認められない。
【０００３】
無線周波数(RF)発生器は、交流電流(AC)を入力電力として受け取り、RF出力を生成する。RF出力は、一例としてプラズマチャンバーのプラズマ電極に応用できる。プラズマチャンバーは、薄膜の製造システムや他のシステムに使用できる。
【０００４】
ある状況下では、プラズマチャンバーは複数のプラズマ電極を有する場合がある。ほんの一例として、処理される表面が1つのプラズマ電極で対応できる面積よりも大きい場合、2つ以上のプラズマ電極が実装されることがある。
【０００５】
したがって、ある状況下では複数のRF発生器が使用されることがある。各RF発生器は、RF出力を生成し、そのRF出力をプラズマ電極に適用する。RF発生器は理想のRF出力を生成するように電気的に接続され得る。
【発明の概要】
【課題を解決するための手段】
【０００６】
第1の特徴として、無線周波数(RF)システムが開示される。RFシステムは、RFセンサーと、アナログ-デジタル変換器(ADC)モジュールと、処理モジュールと、同期モジュールとを含む。RFセンサーは、RF出力のパラメータを測定し、パラメータに基づいてRF信号を生成する。ADCモジュールは、RF信号のサンプルをデジタル値に変換する。処理モジュールは、デジタル値に基づいて処理値を生成する。同期モジュールは、RF出力の遷移に応答して処理値のうちの1つを出力する。
【０００７】
さらなる特徴として、RFシステムは、RF出力を生成するドライバーと、レール電圧設定値に基づいてドライバーにレール電圧を印加する電力供給モジュールと、ドライバー制御設定値に基づいてドライバーを駆動するドライバー制御モジュールと、処理値のうちの1つに基づいてレール電圧設定値およびドライバー制御設定値のうちの少なくとも1つを選択的に調整する出力制御モジュールとをさらに含む。
【０００８】
別の特徴として、ADCモジュールは、RF信号を第1の所定周波数でサンプリングする。
【０００９】
さらに別の特徴として、出力制御モジュールは、レール電圧設定値およびドライバー制御設定値を第2の所定周波数で選択的に更新する。第2の所定周波数は、第1の所定周波数よりも低い。
【００１０】
さらなる特徴として、同期モジュールは、所定値を越えるRF信号の増大に応答して処理値のうちの1つを出力する。
【００１１】
別の特徴として、同期モジュールは、所定値を越えるRF信号の減少に応答して処理値のうちの1つを出力する。
【００１２】
さらに別の特徴として、同期モジュールは、所定値を越えるレール電圧の増大および減少のうちの1つに応答して処理値のうちの1つを出力する。
【００１３】
さらなる特徴として、同期モジュールは、所定値を越えるドライバー制御モジュールからの出力の増大および減少のうちの1つに応答して処理値のうちの1つを出力する。
【００１４】
別の特徴として、以下を含む。RFセンサーは、さらに、RF出力の第2のパラメータを測定し、第2のパラメータに基づいて第2のRF信号を生成する。RFシステムは、第2のRF信号のサンプルを第2のデジタル値に変換する第2のADCモジュールをさらに含む。処理モジュールは、第2のデジタル値に基づいて第2の処理値を生成する。同期モジュールは、RF出力の遷移に応答して第2の処理値のうちの1つを出力する。出力制御モジュールは、第2の処理値のうちの1つにさらに基づいて、レール電圧設定値およびドライバー制御設定値のうちの少なくとも1つを選択的に調整する。
【００１５】
さらに別の特徴として、プラズマチャンバーシステムは、RFシステムと、RF出力をフィルタするフィルタと、フィルタされたRF出力を受け取るプラズマ電極とを含む。
【００１６】
第2の特徴として、無線周波数(RF)制御方法が開示される。RF制御方法は、RFセンサーを使用してRF出力のパラメータを測定するステップと、RFセンサーを使用してパラメータに基づいてRF信号を生成するステップと、RF信号のサンプルをデジタル値に変換するステップと、デジタル値に基づいて処理値を生成するステップと、RF出力の遷移に応答して処理値のうちの1つを出力するステップとを含む。
【００１７】
別の特徴として、RF制御方法は、ドライバーを使用してRF出力を生成するステップと、レール電圧設定値に基づいてドライバーにレール電圧を印加するステップと、ドライバー制御設定値に基づいてドライバーを駆動するステップと、処理値のうちの1つに基づいてレール電圧設定値およびドライバー制御設定値のうちの少なくとも1つを選択的に調整するステップとをさらに含む。
【００１８】
さらに別の特徴として、RF制御方法は、RF信号を第1の所定周波数でサンプリングするステップをさらに含む。
【００１９】
さらなる特徴として、RF制御方法は、レール電圧設定値およびドライバー制御設定値を第2の所定周波数で選択的に更新するステップをさらに含む。第2の所定周波数は、第1の所定周波数よりも低い。
【００２０】
別の特徴として、RF制御方法は、所定値を越えるRF信号の増大に応答して処理値のうちの1つを出力するステップをさらに含む。
【００２１】
さらなる特徴として、RF制御方法は、所定値を越えるRF信号の減少に応答して処理値のうちの1つを出力するステップをさらに含む。
【００２２】
さらに別の特徴として、RF制御方法は、所定値を越えるレール電圧の増大および減少のうちの1つに応答して処理値のうちの1つを出力するステップをさらに含む。
【００２３】
別の特徴として、RF制御方法は、所定値を越えるドライバーへの入力の増大および減少のうちの1つに応答して処理値のうちの1つを出力するステップをさらに含む。
【００２４】
さらなる特徴として、RF制御方法は、RFセンサーを使用してRF出力の第2のパラメータを測定するステップと、RFセンサーを使用して第2のパラメータに基づいて第2のRF信号を生成するステップと、第2のRF信号のサンプルを第2のRF信号に変換するステップと、第2のデジタル値に基づいて第2の処理値を生成するステップと、RF出力の遷移に応答して第2の処理値のうちの1つを出力するステップと、第2の処理値のうちの1つにさらに基づいてレール電圧設定値およびドライバー制御設定値のうちの少なくとも1つを選択的に調整するステップとを含む。
【００２５】
第3の特徴として、無線周波数(RF)システムが開示される。RFセンサーは、RF出力のパラメータを測定し、パラメータに基づいてRF信号を生成する。アナログ-デジタル変換器(ADC)モジュールは、RF信号のサンプルをデジタル値に変換する。同期モジュールは、RF出力の遷移に応答してデジタル値のうちの1つを出力する。処理モジュールは、デジタル値のうちの1つに基づいて処理値を生成する。
【００２６】
さらなる特徴として、RFシステムは、RF出力を生成するドライバーと、レール電圧設定値に基づいてドライバーにレール電圧を印加する電力供給モジュールと、ドライバー制御設定値に基づいてドライバーを駆動するドライバー制御モジュールと、処理値に基づいてレール電圧設定値およびドライバー制御設定値のうちの少なくとも1つを選択的に調整する出力制御モジュールとをさらに含む。
【００２７】
さらに別の特徴として、ADCモジュールは、RF信号を第1の所定周波数でサンプリングする。
【００２８】
別の特徴として、出力制御モジュールは、レール電圧設定値およびドライバー制御設定値を第2の所定周波数で選択的に更新する。第2の所定周波数は、第1の所定周波数よりも低い。
【００２９】
さらなる特徴として、同期モジュールは、所定値を越えるRF信号の増大に応答してデジタル値のうちの1つを出力する。
【００３０】
さらに別の特徴として、同期モジュールは、所定値を越えるRF信号の減少に応答してデジタル値のうちの1つを出力する。
【００３１】
別の特徴として、同期モジュールは、所定値を越えるレール電圧の増大および減少のうちの1つに応答してデジタル値のうちの1つを出力する。
【００３２】
さらなる特徴として、同期モジュールは、所定値を越えるドライバー制御モジュールからの出力の増大および減少のうちの1つに応答してデジタル値のうちの1つを出力する。
【００３３】
さらに別の特徴として、以下を含む。RFセンサーは、さらに、RF出力の第2のパラメータを測定し、第2のパラメータに基づいて第2のRF信号を生成する。RFシステムは、第2のRF信号のサンプルを第2のデジタル値に変換する第2のADCモジュールをさらに含む。同期モジュールは、RF出力の遷移に応答して第2のデジタル値のうちの1つを出力する。処理モジュールは、第2のデジタル値のうちの1つに基づいて第2の処理値を生成する。出力制御モジュールは、第2のデジタル値のうちの1つにさらに基づいて、レール電圧設定値およびドライバー制御設定値のうちの少なくとも1つを選択的に調整する。
【００３４】
別の特徴として、プラズマチャンバーシステムは、RFシステムと、RF出力をフィルタするフィルタと、フィルタされたRF出力を受け取るプラズマ電極とを含む。
【００３５】
第4の特徴として、無線周波数(RF)制御方法が開示される。RF制御方法は、RFセンサーを使用してRF出力のパラメータを測定するステップと、RFセンサーを使用してパラメータに基づいてRF信号を生成するステップと、RF信号のサンプルをデジタル値に変換するステップと、RF出力の遷移に応答してデジタル値のうちの1つを出力するステップと、デジタル値のうちの1つに基づいて処理値を生成するステップとを含む。
【００３６】
さらなる特徴として、RF制御方法は、ドライバーを使用してRF出力を生成するステップと、レール電圧設定値に基づいてドライバーにレール電圧を印加するステップと、ドライバー制御設定値に基づいてドライバーを駆動するステップと、処理値に基づいてレール電圧設定値およびドライバー制御設定値のうちの少なくとも1つを選択的に調整するステップとをさらに含む。
【００３７】
別の特徴として、RF制御方法は、RF信号を第1の所定周波数でサンプリングするステップをさらに含む。
【００３８】
さらに別の特徴として、RF制御方法は、レール電圧設定値およびドライバー制御設定値を第2の所定周波数で選択的に更新するステップをさらに含む。第2の所定周波数は、第1の所定周波数よりも低い。
【００３９】
さらなる特徴として、RF制御方法は、所定値を越えるRF信号の増大に応答してデジタル値のうちの1つを出力するステップをさらに含む。
【００４０】
別の特徴として、RF制御方法は、所定値を越えるRF信号の減少に応答してデジタル値のうちの1つを出力するステップをさらに含む。
【００４１】
さらに別の特徴として、RF制御方法は、所定値を越えるレール電圧の増大および減少のうちの1つに応答してデジタル値のうちの1つを出力するステップをさらに含む。
【００４２】
さらなる特徴として、RF制御方法は、所定値を越えるドライバーへの入力の増大および減少のうちの1つに応答してデジタル値のうちの1つを出力するステップをさらに含む。
【００４３】
別の特徴として、RF制御方法は、RFセンサーを使用してRF出力の第2のパラメータを測定するステップと、RFセンサーを使用して第2のパラメータに基づいて第2のRF信号を生成するステップと、第2のRF信号のサンプルを第2のデジタル値に変換するステップと、RF出力の遷移に応答して第2のデジタル値のうちの1つを出力するステップと、第2のデジタル値のうちの1つに基づいて第2の処理値を生成するステップと、第2のデジタル値のうちの1つにさらに基づいてレール電圧設定値およびドライバー制御設定値のうちの少なくとも1つを選択的に調整するステップとを含む。
【００４４】
第5の特徴として、無線周波数(RF)システムが開示される。RFセンサーは、RF出力のパラメータを測定し、パラメータに基づいてRF信号を生成する。サンプリング周波数モジュールは、RF出力の第1の遷移と第2の遷移との間の周期に基づいて、サンプリング周波数を決定する。アナログ-デジタル変換器(ADC)モジュールは、サンプリング周波数に基づいてRF信号をサンプリングし、RF信号のサンプルをデジタル値に変換する。処理モジュールは、デジタル値に基づいて処理値を生成する。
【００４５】
さらなる特徴として、RFシステムは、RF出力を生成するドライバーと、レール電圧設定値に基づいてドライバーにレール電圧を印加する電力供給モジュールと、ドライバー制御設定値に基づいてドライバーを駆動するドライバー制御モジュールと、処理値に基づいてレール電圧設定値およびドライバー制御設定値のうちの少なくとも1つを選択的に調整する出力制御モジュールとをさらに含む。
【００４６】
さらに別の特徴として、サンプリング周波数モジュールは、RF信号の増大が所定値を越える場合、RF出力の遷移を検出する。
【００４７】
別の特徴として、サンプリング周波数モジュールは、RF信号の減少が所定値を越える場合、RF出力の遷移を検出する。
【００４８】
さらなる特徴として、サンプリング周波数モジュールは、レール電圧の増大および減少のうちの1つが所定値を越える場合、RF出力の遷移を検出する。
【００４９】
さらに別の特徴として、サンプリング周波数モジュールは、ドライバー制御モジュールの増大および減少のうちの1つが所定値を越える場合、RF出力の遷移を検出する。
【００５０】
別の特徴として、以下を含む。RFセンサーは、さらに、RF出力の第2のパラメータを測定し、第2のパラメータに基づいて第2のRF信号を生成する。RFシステムは、サンプリング周波数で第2のRF信号をサンプリングし、第2の信号のサンプルを第2のデジタル値に変換する第2のADCモジュールをさらに含む。処理モジュールは、第2のデジタル値に基づいて第2の処理値を生成する。出力制御モジュールは、第2の処理値のうちの1つにさらに基づいてレール電圧設定値およびドライバー制御設定値のうちの少なくとも1つを選択的に調整する。
【００５１】
さらなる特徴として、プラズマチャンバーシステムは、RFシステムと、RF出力をフィルタするフィルタと、フィルタされたRF出力を受け取るプラズマ電極とを含む。
【００５２】
第6の特徴として、無線周波数(RF)制御方法が開示される。RF制御方法は、RFセンサーを使用してRF出力のパラメータを測定するステップと、RFセンサーを使用してパラメータに基づいてRF信号を生成するステップと、RF出力の第1の遷移と第2の遷移との間の周期に基づいてサンプリング周波数を決定するステップと、サンプリング周波数に基づいてRF信号をサンプリングするステップと、RF信号のサンプルをデジタル値に変換するステップと、デジタル値に基づいて処理値を生成するステップとを含む。
【００５３】
さらなる特徴として、RF制御方法は、ドライバーを使用してRF出力を生成するステップと、レール電圧設定値に基づいてドライバーにレール電圧を印加するステップと、ドライバー制御設定値に基づいてドライバーを駆動するステップと、処理値に基づいてレール電圧設定値およびドライバー制御設定値のうちの少なくとも1つを選択的に調整するステップとをさらに含む。
【００５４】
別の特徴として、RF制御方法は、RF信号の増大が所定値を越える場合、RF出力の遷移を検出するステップをさらに含む。
【００５５】
さらに別の特徴として、RF制御方法は、RF信号の減少が所定値を越える場合、RF出力の遷移を検出するステップをさらに含む。
【００５６】
さらなる特徴として、RF制御方法は、レール電圧の増大および減少のうちの1つが所定値を越える場合、RF出力の遷移を検出するステップをさらに含む。
【００５７】
別の特徴として、RF制御方法は、ドライバーへの入力の増大および減少のうちの1つが所定値を越える場合、RF出力の遷移を検出するステップをさらに含む。
【００５８】
さらに別の特徴として、RF制御方法は、RFセンサーを使用してRF出力の第2のパラメータを測定するステップと、RFセンサーを使用して第2のパラメータに基づいて第2のRF信号を生成するステップと、サンプリング周波数で第2のRF信号をサンプリングするステップと、第2のRF信号のサンプルを第2のデジタル値に変換するステップと、第2のデジタル値に基づいて第2の処理値を生成するステップと、第2の処理値のうちの1つにさらに基づいてレール電圧設定値およびドライバー設定値のうちの少なくとも1つを選択的に調整するステップとをさらに含む。
【００５９】
本開示のさらなる適応範囲は、詳細な説明、特許請求の範囲、および図面から明らかになる。詳細な説明および特定の例は、例示のみを目的としており、本開示の範囲の限定を意図するものではない。
【００６０】
本開示は、詳細な説明およびそれに伴う図面により、より深く理解することができる。
【図面の簡単な説明】
【００６１】
【図１】本開示による、例示的な無線周波数(RF)プラズマチャンバーシステムの機能ブロック図である。
【図２】時間に対するRF発生器の出力電力の例示的なグラフである。
【図３】本開示による、RFプラズマチャンバーシステムの例示的な一部の機能ブロック図である。
【図４】時間に対するRF発生器の出力電力の別の例示的なグラフである。
【図５】本開示による、RFプラズマ発生器システムの例示的な一部の別の機能ブロック図である。
【図６】本開示による、RFプラズマ発生器システムの例示的な一部の別の機能ブロック図である。
【図７】本開示による、RFセンサーのサンプリングおよびデジタル化測定の例示的な方法を描写するフローチャートである。
【図８】本開示による、RF出力のレベル遷移に対応するRFセンサーの測定値を提供し、その値に基づいてRF出力を制御する例示的な方法を描写するフローチャートである。
【図９】本開示による、RF出力のレベル遷移に対応するRFセンサーの測定値を提供し、その値に基づいてRF出力を制御する別の例示的な方法を描写するフローチャートである。
【図１０】本開示による、RF出力のレベル遷移に対応するRFセンサーの測定値を提供し、その値に基づいてRF出力を制御する別の例示的な方法を描写するフローチャートである。
【発明を実施するための形態】
【００６２】
図面では、類似のまたは同一の要素を特定するため、参照番号が繰返し使用されることがある。
【００６３】
ここで図1を参照すると、例示的な無線周波数(RF)プラズマチャンバーシステムの機能ブロック図が示されている。無線周波数(RF)発生器モジュール104は、交流(AC)入力電力を受け取り、そのAC入力電力を利用してRF出力を生成する。RF出力は、プラズマチャンバー112のプラズマ電極108に適用される。別の形態のシステムでは、RF出力は異なった仕方で利用され得る。プラズマ電極108は、たとえば、薄膜蒸着、フィルムエッチング、および他の形態のシステムで利用され得る。
【００６４】
出力制御モジュール116は、RF発生器モジュール104が生成し、プラズマ電極108に渡されるRF出力の電力設定値(P Set)を受け取る。電力設定値は、たとえば、外部インターフェース120または他の適切な供給源から提供され得る。外部インターフェース120は、たとえば、ユニバーサルスタンダード(US)232接続、イーサネット(登録商標)接続、ワイヤレス接続、またはフロントパネルインターフェースを介して、診断またはユーザーからの入力に基づいて出力制御モジュール116へ電力設定値を提供することができる。
【００６５】
RFセンサー124は、1つ以上のRF出力のパラメータを測定し、測定されたパラメータに基づいてRF信号を生成する。ほんの一例として、RFセンサー124は、電圧電流(VI)センサー、RFプローブ、方向性結合器、ガンマセンサー、位相振幅センサー、または他の適切な形態のRFセンサーを含むことができる。
【００６６】
測定制御モジュール128は、所定のサンプリング周波数でRF信号をサンプリングする。測定制御モジュール128は、(アナログ)のサンプルを対応するデジタル値に変換する。また、測定制御モジュール128は、1つ以上の信号処理関数をデジタル値に適用し、処理値を生成する。
【００６７】
出力制御モジュール116は、RF出力の振幅、周波数、および位相を制御する。出力制御モジュール116は、所定の更新周波数で、RF出力を制御するのに使用される1つ以上のパラメータを選択的に更新し得る。所定の更新周波数は、所定のサンプリング周波数よりも低い。換言すれば、測定制御モジュール128は、出力制御モジュール116がRF出力を制御するのに使用される1つ以上のパラメータを更新し得る連続する期間中の複数の機会に、RF信号のサンプリングをし得る。
【００６８】
出力制御モジュール116は、たとえば、測定制御モジュール128からの処理値に基づいて1つ以上のパラメータを選択的に更新し得る。しかしながら、測定制御モジュール128のサンプリング周波数と関連した遅延、および処理値を生成するために実行された信号処理関数が原因で、処理値は更新とタイムアライメントされない場合がある。
【００６９】
処理値が更新とタイムアライメントされていない場合、出力制御モジュール116はRF出力を制御するのに使用される1つ以上のパラメータを不適切に調整することがあり得る。たとえば、図2は処理値が出力制御モジュール116によって実行された更新とタイムアライメントされていないシステムの、時間に対する電力のグラフである。太線204は、RF出力の目標電力を追跡し、点線208は、RF出力の実際の電力を追跡している。図2に示されているように、出力制御モジュール116は、処理値が更新とアライメントされていないことが原因で、RF出力に目標をオーバーシュートさせてしまうことがある。オーバーシュートさせる例がある一方で、他の出力コントローラは処理値がアライメントされていないことが原因で、アンダーシュートさせるものや、目標に対してアンダーシュートとオーバーシュートとの両方を生じさせるものもある。
【００７０】
再び図1を参照すると、測定制御モジュール128は、RF出力の遷移が検出されるたびに処理値を出力制御モジュール116に提供する。遷移は、RF出力の増大または減少であり得る。このように、処理値の提供は時間的にRF出力の遷移と同期する。RF出力の遷移とタイムアライメントされた処理値およびこれら処理値を生じさせた設定値に基づいて、出力制御モジュール116はRF出力をより正確に制御し得る。
【００７１】
ここで図3を参照すると、RFプラズマチャンバーの例示的な一部を含む機能ブロック図が示されている。出力制御モジュール116は、電力設定値に基づいてレール電圧設定値(Rail Set)およびドライバー制御設定値(Driver Set)を生成することができる。電力供給モジュール304は、レール電圧設定値に基づいてAC入力電力からレール電圧を生成する。電力供給モジュール304は、レール電圧をドライバー308に印加する。
【００７２】
ドライバー制御モジュール312は、ドライバー制御設定値に基づいてドライバー308を駆動する。ドライバー制御設定値は、目標負荷サイクル(すなわち、各所定周期に対するONタイムの割合)を示すことができる。ドライバー制御モジュール312は、目標負荷サイクルを有したパルス幅変調(PWM)信号を生成し、PWM信号をドライバー308に適用することができる。ドライバー308は、PWM信号およびレール電圧に基づいてRF出力を生成する。フィルタ316を実装し、RF出力がプラズマ電極108に適用される前にドライバー308の出力をフィルタしてもよい。
【００７３】
第1のアナログ-デジタル変換(ADC)モジュール330および第2のADCモジュール334は、RFセンサー124が測定するRF出力の第1のパラメータおよび第2のパラメータ(X1およびX2)を受け取る。たとえば、第1のパラメータおよび第2のパラメータは、電圧および電流、またはRFセンサーが測定する他の適切なパラメータでもよい。様々な実施形態では、1つまたはそれ以上のパラメータが測定され得る。
【００７４】
第1のADCモジュール330および第2のADCモジュール334は、所定のサンプリング周波数(Ts-1)で第1のパラメータおよび第2のパラメータをサンプリングし、それらのサンプルをデジタル化して第1のデジタル値および第2のデジタル値(D1およびD2)を生成する。処理モジュール338は、第1のデジタル値および第2のデジタル値に1つ以上の信号処理関数を実行し、第1の処理値および第2の処理値(P1およびP2)を生成する。処理モジュール338は、たとえば、1つ以上のフィルタ(帯域通過フィルタなど)を適用し、かつ/または1つ以上の他の適切な信号処理関数を実行することができる。帯域通過フィルタは、たとえば、RFセンサー124からバンド測定値を除外するために適用され得る。
【００７５】
同期モジュール342は、RF出力のレベル遷移が検出された際、現在の処理値を同期値(S1およびS2)として出力制御モジュール116に出力する。所定のサンプリング周波数は、出力制御モジュール116がRF出力のレベルを遷移する周波数よりも高いので、処理値はレベル遷移が検出される前に一度かそれ以上更新されることがある。
【００７６】
RF出力のレベル遷移は、RF出力の1つ以上のパラメータにおける増大または減少であり得る。2レベルRF出力の例が図2で示されているが、実施形態によっては、出力制御モジュール116はRF出力を3つ以上の異なるレベルに変調することがある。同期モジュール342は、たとえば、RFセンサー124が測定する第1のパラメータおよび/または第2のパラメータが増大または減少するときに、レベル遷移を検出することがある。同期モジュール342は、その増大または減少が所定量を越えることを必要とすることがある。実施形態によっては、同期モジュール342は、ドライバー制御モジュール312の出力やレール電圧など、RF出力の遷移を示す他の適切な指標に基づいて、RF出力の遷移を検出することがある。
【００７７】
出力制御モジュール116は、同期値に基づいてレール電圧設定値および/またはドライバー制御設定値を選択的に調整することができる。これらの値に基づいて、出力制御モジュール116はRF出力をより正確に制御することができる。たとえば、図4は、処理値の提供がRF出力のレベル遷移とアライメントされている場合の、時間に対する電力の例示的なグラフである。太線404は、RF出力の目標電力を追跡しており、点線408は、RF出力の実際の電力を追跡している。図2の例示的なグラフと比較して、タイムアライメントされた値を使用することにより、オーバーシュートを減少させられることがわかる。測定および制御はレベル遷移と同期されるので、コヒーレントパルス発生器はパルスフロントの再現性を改善することができる。
【００７８】
ここで図5を参照すると、RFプラズマチャンバーシステムの例示的な一部を含む別の機能ブロック図が示されている。図3の例と同じように、第1のADCモジュール330および第2のADCモジュール334は、所定のサンプリング周波数(Ts-1)で第1のパラメータおよび第2のパラメータをサンプリングし、それらのサンプルをデジタル化して第1のデジタル値および第2のデジタル値(D1およびD2)を生成する。
【００７９】
同期モジュール504は、RF出力のレベル遷移が検出された際、現在のデジタル値を同期値(S1およびS2)として出力する。同期モジュール504は、すでに説明したようにレベル遷移の発生を検出することができる。
【００８０】
処理モジュール508は、1つ以上の信号処理関数を第1のデジタル値および第2のデジタル値に対して実行し、第1の処理値および第2の処理値(P1およびP2)を生成する。処理モジュール508は、たとえば、1つ以上のフィルタ(帯域通過フィルタなど)を適用し、かつ/または1つ以上の他の適切な信号処理関数を実行することができる。処理モジュール508は、処理値を出力制御モジュール116に出力し、出力制御モジュール116は、処理値に基づいてレール電圧設定値および/またはドライバー制御設定値を選択的に調整することができる。
【００８１】
ここで図6を参照すると、RFプラズマチャンバーシステムの例示的な一部を含む別の機能ブロック図が示されている。サンプリング周波数モジュール604は、RF出力のレベル遷移間の周期に基づいて、サンプリング周波数(Ts-1)を決定する。サンプリング周波数モジュール604は、たとえば、RFセンサー124が測定する第1のパラメータおよび/または第2のパラメータが増大または減少するときに、RF出力の遷移を検出することがある。サンプリング周波数モジュール604は、その増大または減少が所定量を越えることを必要とすることがある。実施形態によっては、サンプリング周波数モジュール604は、ドライバー制御モジュール312の出力やレール電圧など、RF出力の遷移を示す他の適切な指標に基づいて、RF出力の遷移を検出することがある。
【００８２】
第1のADCモジュール608および第2のADCモジュール612は、RFセンサー124が測定するRF出力の第1のパラメータおよび第2のパラメータ(X1およびX2)を受け取る。第1のADCモジュール608および第2のADCモジュール612は、サンプリング周波数モジュール604が設定したサンプリング周波数(Ts-1)で第1のパラメータおよび第2のパラメータをサンプリングし、それらのサンプルをデジタル化して第1のデジタル値および第2のデジタル値(D1およびD2)を生成する。サンプリング周波数モジュール604は、レベル遷移間の周期に基づいてサンプリング周波数を設定するので、第1のADCモジュール608および第2のADCモジュール612は各レベル遷移とほぼ同時にデジタル値を生成することができる。
【００８３】
処理モジュール616は、1つ以上の信号処理関数を第1のデジタル値および第2のデジタル値に対して実行し、第1の処理値および第2の処理値(P1およびP2)を生成する。処理モジュール616は、たとえば、1つ以上のフィルタ(帯域通過フィルタなど)を適用し、かつ/または1つ以上の他の適切な信号処理関数を実行することができる。処理モジュール616は、処理値を出力制御モジュール116に出力し、出力制御モジュール116は、処理値に基づいてレール電圧設定値および/またはドライバー制御設定値を選択的に調整することができる。
【００８４】
シングルチャネルRFプラズマチャンバーシステムが示され、説明されたが、本開示はマルチチャネルRF発生器システムに適用可能である。たとえば、図3、図5、または図6が示す例示的な測定制御モジュール128と類似のまたは同一の測定制御モジュールを、マルチチャネルRF発生器の各チャネルに提供することができる。さらに、本開示はRF発生器システムの文脈で説明されているが、本開示は、RF出力を測定しその測定に基づいてRF出力のレベルを選択的に遷移する他の形態のシステム、例としてマッチングシステム/ネットワークにも適用することができる。
【００８５】
ここで図7を参照すると、RFセンサー124の測定値をサンプリングしデジタル化する例示的な方法を描写するフローチャートが示されている。制御は、第1のADCモジュール330および第2のADCモジュール334が第1のタイマーおよび第2のタイマーをそれぞれリセットし開始させるステップ704から開始することができる。第1のADCモジュール330および第2のADCモジュール334は、第1のタイマーおよび第2のタイマーを所定のサンプリング周波数に対応する所定周期(すなわち、1/所定のサンプリング周波数)でリセットする。2つのタイマーについて言及したが、実施形態によっては1つのタイマーが使用されることもある。
【００８６】
ステップ708では、第1のADCモジュール330および第2のADCモジュール334が、第1のタイマーおよび第2のタイマーの値が0に等しいかを判定する。ステップ708の結果が偽の場合、第1のADCモジュール330および第2のADCモジュール334がステップ712において第1のタイマーおよび第2のタイマーをデクリメントし、ステップ708へ戻るよう制御する。ステップ708の結果が真の場合、制御はステップ716へ移動する。所定周期に基づくタイマーのリセット、タイマーのデクリメント、およびタイマーと0との比較について論じたが、0へのリセット、インクリメント、およびタイマーが所定周期を越えるかまたは等しいかの判断を利用することもできる。
【００８７】
ステップ716において、第1のADCモジュール330および第2のADCモジュール334は、RFセンサー124が測定する第1のパラメータおよび第2のパラメータをサンプリングし、それらのサンプルをデジタル化して第1のデジタル値および第2のデジタル値を生成する。第1のADCモジュール330および第2のADCモジュール334は、次いで、第1のパラメータおよび第2のパラメータがサンプリングされデジタル化されるまで第1のデジタル値および第2のデジタル値を保持する。ステップ716のあと、制御はステップ704へ戻る。
【００８８】
ここで図8を参照すると、RF出力のレベル遷移に対応するRFセンサー124の測定値を提供し、その値に基づいてRF出力を制御する例示的な方法を描写するフローチャートが示されている。この方法は、たとえば、図3が示す測定制御モジュール128によって実施することができ、かつ図7が示す方法の実行と並行して実行することができる。
【００８９】
制御は、処理モジュール338が、第1の処理値および第2の処理値を生成するために第1のADCモジュール330および第2のADCモジュール334が出力する第1のデジタル値および第2のデジタル値を処理するステップ804から開始することができる。ステップ808では、同期モジュール342がRF出力のレベル遷移が発生したか否かを判定する。ステップ808の結果が偽の場合、制御はステップ804に戻る。ステップ808の結果が真の場合、制御はステップ812に移動する。
【００９０】
ステップ812では、同期モジュール342が第1の処理値および第2の処理値を第1の同期値および第2の同期値として出力する。出力制御モジュール116は、第1の同期値および/または第2の同期値に基づいて、ステップ816においてレール電圧設定値および/またはドライバー制御設定値を選択的に調整することができる。そして、制御はステップ804に戻る。
【００９１】
ここで図9を参照すると、RF出力のレベル遷移に対応するRFセンサー124の測定値を提供し、その値に基づいてRF出力を制御する別の例示的な方法を描写するフローチャートが示されている。この方法は、たとえば、図5が示す測定制御モジュール128によって実施することができ、かつ図7が示す方法の実行と並行して実行することができる。
【００９２】
制御は、同期モジュール504がRF出力のレベル遷移が発生したか否かを判定するステップ904から開始してもよい。ステップ904の結果が偽の場合、制御はステップ904に留まる。ステップ904の結果が真の場合、制御はステップ908に移動する。ステップ908では、同期モジュール504が第1のデジタル値および第2のデジタル値を第1の同期値および第2の同期値として出力する。処理モジュール508は、ステップ912で第1の同期値および第2の同期値を処理し、第1の処理値および第2の処理値を生成する。ステップ916では、出力制御モジュール116が、第1の処理値および/または第2の処理値に基づいて、ステップ816でレール電圧設定値および/またはドライバー制御設定値を選択的に調整することができる。そして、制御はステップ904に戻る。
【００９３】
ここで図10を参照すると、RF出力のレベル遷移に対応するRFセンサー124の測定値を提供し、その値に基づいてRF出力を制御する別の例示的な方法を描写するフローチャートが示されている。この方法は、たとえば、図6が示す測定制御モジュール128によって実施することができる。
【００９４】
制御は、第1のADCモジュール608および第2のADCモジュール612がサンプリング周波数を受け取るステップ1004から開始することができる。サンプリング周波数モジュール604は、RF出力のレベル遷移間の周期を判定し、そのレベル遷移間の周期に基づいてサンプリング周波数を判定する。サンプリング周波数モジュール604は、サンプリング周波数を、図10が示す方法の実行と並行して判定および/または更新することができる。
【００９５】
ステップ1008では、第1のADCモジュール608および第2のADCモジュール612が第1のタイマーおよび第2のタイマーをそれぞれリセットし開始させる。第1のADCモジュール608および第2のADCモジュール612は、第1のタイマーおよび第2のタイマーをサンプリング周波数に対応する周期(すなわち、1/サンプリング周波数)でリセットする。2つのタイマーについて言及したが、実施形態によっては1つのタイマーが使用されることもある。
【００９６】
ステップ1012では、第1のADCモジュール608および第2のADCモジュール612が、第1のタイマーおよび第2のタイマーの値が0に等しいかを判定する。ステップ1012の結果が偽の場合、第1のADCモジュール608および第2のADCモジュール612は、ステップ1016において第1のタイマーおよび第2のタイマーをデクリメントし、ステップ1012へ戻るよう制御する。ステップ1012の結果が真の場合、制御はステップ1020へ移動する。前記周期に基づくタイマーのリセット、タイマーのデクリメント、およびタイマーと0との比較について論じたが、0へのリセット、インクリメント、およびタイマーが上記の周期を越えるかまたは等しいかの判断を利用することもできる。
【００９７】
ステップ1020において、第1のADCモジュール608および第2のADCモジュール612は、RFセンサー124が測定する第1のパラメータおよび第2のパラメータをサンプリングし、それらのサンプルをデジタル化して第1のデジタル値および第2のデジタル値を生成する。ステップ1024では、処理モジュール616が第1のデジタル値および第2のデジタル値を処理し、第1の処理値および第2の処理値を生成する。出力制御モジュール116は、第1の処理値および/または第2の処理値に基づいて、ステップ1028においてレール電圧設定値および/またはドライバー制御設定値を選択的に調整することができる。そして、制御はステップ1004に戻る。
【００９８】
上記の説明は例示にすぎず、本開示、適用、または利用を制限することを意図したものではない。本開示の幅広い教示は、様々な形態で実施することができる。したがって、この開示は特定の例を含んでいるが、図面、明細書、および添付の特許請求の範囲を調べることで他の修正例が明らかになるので、本開示の実際の範囲はそれらの例に限定されるべきではない。明細書中で使用されている限り、A、B、およびCのうちの少なくとも1つというフレーズは、排他的論理和ではなく、論理的な(AまたはBまたはC)をも意味すると解釈される。ある方法の1つまたはそれ以上のステップは、本開示の原則を変更することなく、異なる順序で(または同時に)実行され得ることを理解されたい。
【００９９】
以下の定義を含む本出願において、「モジュール」という用語は、「回路」という用語に置き換えることができる。「モジュール」という用語は、特定用途向け集積回路(ASIC)、デジタル、アナログ、またはアナログ/デジタル混成のディスクリート回路、デジタル、アナログ、またはアナログ/デジタル混成の集積回路、組み合わせ論理回路、フィールドプログラマブルゲートアレイ(FPGA)、コードを実行するプロセッサ(共有、占有、またはグループ)、プロセッサが実行するコードを格納するメモリ(共有、占有、またはグループ)、記載された機能を提供する他の適切なハードウェアコンポーネント、またはシステムオンチップなどの上記のものの一部または全部の組み合わせを指し、これらの一部であり、またはこれらを含む。
【０１００】
上記で使用されている限り、「コード」という用語は、ソフトウェア、ファームウェア、および/またはマイクロコードを含むことがあり、プログラム、ルーチン、関数、クラス、および/またはオブジェクトを指すこともある。共有プロセッサという用語は、複数モジュールからの一部または全部のコードを実行するシングルプロセッサを包含する。「グループプロセッサ」という用語は、1つ以上のモジュールからの一部または全部のコードを追加のプロセッサと組み合わせて実行するプロセッサを包含する。「共有メモリ」という用語は、複数モジュールからの一部または全部のコードを格納するシングルメモリを包含する。「グループメモリ」という用語は、1つ以上のモジュールからの一部または全部のコードを追加のメモリと組み合わせて格納するメモリを包含する。「メモリ」という用語は、コンピュータ可読媒体という用語の下位集合であり得る。「コンピュータ可読媒体」という用語は媒体を伝搬する一時的な電気的および電子的信号を包含せず、したがって有形かつ非一時的であると見なされ得る。非一時的な有形のコンピュータ可読媒体のほんのいくつかの例には、不揮発性メモリ、揮発性メモリ、磁気ストレージ、および光学式ストレージが含まれる。
【０１０１】
この出願で描写された装置および方法は、1つ以上のプロセッサによって実行される1つ以上のコンピュータプログラムによりその一部または全部が実装され得る。コンピュータプログラムは、少なくとも1つの非一時的な有形コンピュータ可読媒体に格納される、プロセッサが実行可能な命令を含む。また、コンピュータプログラムは、格納されたデータを含むおよび/または格納されたデータに依存することがある。
【符号の説明】
【０１０２】
104  無線周波数(RF)発生器モジュール
108  プラズマ電極
112  プラズマチャンバー
116  出力制御モジュール
120  外部インターフェース
124  RFセンサー
128  測定制御モジュール
304  電力供給モジュール
308  ドライバー
312  ドライバー制御モジュール
330  第1のアナログ-デジタル変換器(ADC)モジュール
334  第2のアナログ-デジタル変換器(ADC)モジュール
338  処理モジュール
342  同期モジュール
504  同期モジュール
508  処理モジュール
604  サンプリング周波数モジュール
608  第1のADCモジュール
612  第2のADCモジュール
616  処理モジュール
【図１】
2016513340.tif 000003
【図２】
2016513340.tif 000004
【図３】
2016513340.tif 000005
【図４】
2016513340.tif 000006
【図５】
2016513340.tif 000007
【図６】
2016513340.tif 000008
【図７】
2016513340.tif 000009
【図８】
2016513340.tif 000010
【図９】
2016513340.tif 000011
【図１０】
2016513340.tif 000012
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
無線周波数（ＲＦ）システムであって、
ＲＦ信号のサンプルをデジタル値に変換するアナログ−デジタル変換器（ＡＤＣ）モジュールであって、前記ＲＦ信号がＲＦ出力に従って変化する、ＡＤＣモジュールと、
前記デジタル値に基づいて処理値を生成する処理モジュールと、
前記ＲＦ出力の遷移に前記処理値のうちの１つの出力を同期させる同期モジュールと
を具備するＲＦシステム。
【請求項２】
前記ＲＦ出力を生成するドライバーと、
レール電圧設定値に基づいてレール電圧を前記ドライバーに印加する電力供給モジュールと、
ドライバー制御設定値に基づいて前記ドライバーを駆動するドライバー制御モジュールと、
前記処理値のうちの前記１つに基づいて前記レール電圧設定値および前記ドライバー制御設定値のうちの少なくとも１つを選択的に調整する出力制御モジュールと
をさらに具備する、請求項１に記載のＲＦシステム。
【請求項３】
前記ＡＤＣモジュールが、前記ＲＦ信号を第１の所定周波数でサンプリングする、請求項２に記載のＲＦシステム。
【請求項４】
前記出力制御モジュールが、前記レール電圧設定値および前記ドライバー制御設定値を第２の所定周波数で選択的に更新し、
前記第２の所定周波数は、前記第１の所定周波数よりも低い、請求項３に記載のＲＦシステム。
【請求項５】
前記同期モジュールが、所定値を越える前記ＲＦ出力の増大および減少のうちの１つに応答して、前記処理値のうちの前記１つを出力する、請求項２に記載のＲＦシステム。
【請求項６】
無線周波数（ＲＦ）制御方法であって、
第１のＲＦ出力のパラメータに基づいてＲＦ信号を生成するステップと、
前記ＲＦ信号のサンプルをデジタル値に変換するステップと、
前記デジタル値に基づいて処理値を生成するステップと、
第２のＲＦ出力の遷移に前記処理値のうちの１つの出力を同期させるステップと
を有するＲＦ制御方法。
【請求項７】
ドライバーを使用して前記ＲＦ出力を生成するステップと、
レール電圧設定値に基づいて前記ドライバーにレール電圧を印加するステップと、
ドライバー制御設定値に基づいて前記ドライバーを駆動するステップと、
前記処理値のうちの前記１つに基づいて前記レール電圧設定値および前記ドライバー制御設定値のうちの少なくとも１つを選択的に調整するステップと
をさらに有する、請求項６に記載のＲＦ制御方法。
【請求項８】
前記ＲＦ信号を第１の所定周波数でサンプリングするステップをさらに有する、請求項７に記載のＲＦ制御方法。
【請求項９】
前記レール電圧設定値および前記ドライバー制御設定値を第２の所定周波数で選択的に更新するステップをさらに有し、
前記第２の所定周波数は、前記第１の所定周波数よりも低い、請求項８に記載のＲＦ制御方法。
【請求項１０】
所定値を越える前記第２のＲＦ出力の増大および減少のうちの１つに応答して、前記処理値のうちの前記１つを出力するステップをさらに有する、請求項７に記載のＲＦ制御方法。
【請求項１１】
無線周波数（ＲＦ）システムであって、
ＲＦ信号のサンプルをデジタル値に変換するアナログ−デジタル変換器（ＡＤＣ）モジュールであって、前記ＲＦ信号がＲＦ出力に従って変化する、ＡＤＣモジュールと、
前記ＲＦ出力の遷移に前記デジタル値のうちの１つの出力を同期させる同期モジュールと、
前記デジタル値のうちの前記１つに基づいて処理値を生成する処理モジュールと
を具備するＲＦシステム。
【請求項１２】
前記ＲＦ出力を生成するドライバーと、
レール電圧設定値に基づいてレール電圧を前記ドライバーに印加する電力供給モジュールと、
ドライバー制御設定値に基づいて前記ドライバーを駆動するドライバー制御モジュールと、
前記処理値に基づいて前記レール電圧設定値および前記ドライバー制御設定値のうちの少なくとも１つを選択的に調整する出力制御モジュールと
をさらに具備する、請求項１１に記載のＲＦシステム。
【請求項１３】
前記ＡＤＣモジュールが、前記ＲＦ信号を第１の所定周波数でサンプリングする、請求項１２に記載のＲＦシステム。
【請求項１４】
前記出力制御モジュールが、前記レール電圧設定値および前記ドライバー制御設定値を第２の所定周波数で選択的に更新し、
前記第２の所定周波数は、前記第１の所定周波数よりも低い、請求項１３に記載のＲＦシステム。
【請求項１５】
前記同期モジュールが、所定値を越える前記ＲＦ出力の増大および減少のうちの１つに応答して、前記デジタル値のうちの前記１つを出力する、請求項１２に記載のＲＦシステム。
【請求項１６】
無線周波数（ＲＦ）制御方法であって、
ＲＦ出力のパラメータに基づいてＲＦ信号を生成するステップと、
前記ＲＦ信号のサンプルをデジタル値に変換するステップと、
前記ＲＦ出力の遷移に前記デジタル値のうちの１つの出力を同期させるステップと、
前記デジタル値のうちの前記１つに基づいて処理値を生成するステップと
を有するＲＦ制御方法。
【請求項１７】
ドライバーを使用してＲＦ出力を生成するステップと、
レール電圧設定値に基づいて前記ドライバーにレール電圧を印加するステップと、
ドライバー制御設定値に基づいて前記ドライバーを駆動するステップと、
前記処理値に基づいて前記レール電圧設定値および前記ドライバー制御設定値のうちの少なくとも１つを選択的に調整するステップと
をさらに有する、請求項１６に記載のＲＦ制御方法。
【請求項１８】
前記ＲＦ信号を第１の所定周波数でサンプリングするステップをさらに有する、請求項１７に記載のＲＦ制御方法。
【請求項１９】
前記レール電圧設定値および前記ドライバー制御設定値を第２の所定周波数で選択的に更新するステップをさらに有し、
前記第２の所定周波数は、前記第１の所定周波数よりも低い、請求項１８に記載のＲＦ制御方法。
【請求項２０】
所定値を越える前記ＲＦ出力の増大および減少のうちの１つに応答して、前記デジタル値のうちの前記１つを出力するステップをさらに有する、請求項１７に記載のＲＦ制御方法。
【請求項２１】
無線周波数（ＲＦ）発生器であって、
ＲＦ信号のサンプルをデジタル値に変換するアナログ−デジタル変換器（ＡＤＣ）モジュールであって、前記ＲＦ信号が第１のＲＦ出力に従って変化する、ＡＤＣモジュールと、
前記デジタル値に基づいて処理値を生成する処理モジュールと、
第２のＲＦ出力の遷移に前記処理値のうちの１つの出力を同期させる同期モジュールと
を具備するＲＦ発生器。
【請求項２２】
（ａ）前記第１のＲＦ出力と前記第２のＲＦ出力とが同一の出力であるか、または
（ｂ）前記第１のＲＦ出力と前記第２のＲＦ出力とが異なる出力であるか
のうちの少なくとも一方である、請求項２１に記載のＲＦ発生器。
【請求項２３】
前記第１のＲＦ出力を生成するドライバーと、
レール電圧設定値に基づいてレール電圧を前記ドライバーに印加する電力供給モジュールと、
ドライバー制御設定値に基づいて前記ドライバーを駆動するドライバー制御モジュールと、
前記処理値のうちの前記１つに基づいて前記レール電圧設定値および前記ドライバー制御設定値のうちの少なくとも１つを選択的に調整する出力制御モジュールと
をさらに具備する、請求項２２に記載のＲＦ発生器。
【請求項２４】
前記ＡＤＣモジュールが、前記ＲＦ信号を第１の所定周波数でサンプリングする、請求項２３に記載のＲＦ発生器。
【請求項２５】
前記出力制御モジュールが、前記レール電圧設定値および前記ドライバー制御設定値を第２の所定周波数で選択的に更新し、
前記第２の所定周波数は、前記第１の所定周波数よりも低い、請求項２４に記載のＲＦ発生器。
【請求項２６】
前記同期モジュールが、所定値を越える前記第２のＲＦ出力の増大および減少のうちの１つに応答して、前記処理値のうちの前記１つを出力する、請求項２３に記載のＲＦ発生器。
【請求項２７】
無線周波数（ＲＦ）システムであって、
第１のＲＦ出力のサンプルをデジタル値に変換するアナログ−デジタル変換器（ＡＤＣ）モジュールと、
第２のＲＦ出力の遷移に前記デジタル値のうちの１つの出力を同期させる同期モジュールと、
前記デジタル値のうちの前記１つに基づいて処理値を生成する処理モジュールと
を具備するＲＦシステム。
【請求項２８】
（ａ）前記第１のＲＦ出力と前記第２のＲＦ出力とが同一の出力であるか、または
（ｂ）前記第１のＲＦ出力と前記第２のＲＦ出力とが異なる出力であるか
のうちの少なくとも一方である、請求項２７に記載のＲＦシステム。
【請求項２９】
前記第１のＲＦ出力または前記第２のＲＦ出力のうちの１つを生成するドライバーと、
レール電圧設定値に基づいてレール電圧を前記ドライバーに印加する電力供給モジュールと、
ドライバー制御設定値に基づいて前記ドライバーを駆動するドライバー制御モジュールと、
前記処理値に基づいて前記レール電圧設定値および前記ドライバー制御設定値のうちの少なくとも１つを選択的に調整する出力制御モジュールと
をさらに具備する、請求項２８に記載のＲＦシステム。
【請求項３０】
前記ＡＤＣモジュールが、前記ＲＦ出力を第１の所定周波数でサンプリングする、請求項２９に記載のＲＦシステム。
【請求項３１】
前記出力制御モジュールが、前記レール電圧設定値および前記ドライバー制御設定値を第２の所定周波数で選択的に更新し、
前記第２の所定周波数は、前記第１の所定周波数よりも低い、請求項３０に記載のＲＦシステム。
【請求項３２】
前記同期モジュールが、所定値を越える前記第２のＲＦ出力の増大および減少のうちの１つに応答して、前記デジタル値のうちの前記１つを出力する、請求項２８に記載のＲＦシステム。
【請求項３３】
前記ＲＦ出力のパラメータを測定し、前記パラメータに基づいて前記ＲＦ信号を生成するＲＦセンサーをさらに具備する、請求項１に記載のＲＦシステム。
【請求項３４】
ＲＦセンサーを使用して、前記第１のＲＦ出力の前記パラメータを測定するステップをさらに有する、請求項６に記載のＲＦ制御方法。
【請求項３５】
前記ＲＦ出力のパラメータを測定し、前記パラメータに基づいて前記ＲＦ信号を生成するＲＦセンサーをさらに具備する、請求項１１に記載のＲＦシステム。
【国際調査報告】
2016513340.tif 000013
2016513340.tif 000014